(57)【要約】      （修正有）【課題】携帯電子機器を手に持って振ったり軽く叩いたりする際の衝撃で電子回路への電源供給が瞬断しないようにした。【解決手段】電池収納機構１００は、充電池６の正電極端子との接点部を有する正電極板バネ１２と、正電極板バネ１２の両側位置に、充電池６の正電極端子を遊嵌するように配設された一対の正極側リブ１３ｂ，１３ｂと、充電池６の負電極端子との接点部を有する負電極板バネ１１と、負電極板バネ１１の両側位置に、負電極板バネ１１を遊嵌するように配設された一対の負極側リブ１３ａ，１３ａとを備え、一対の正極側リブ１３ｂ，１３ｂの内端面と一対の正極側リブ１３ｂ，１３ｂの内端面との間隔が、充電池６の本体部の軸長に相当するように設定されている。このため、一対の負極側リブ１３ａ，１３ａと一対の正極側リブ１３ｂ，１３ｂとの間で充電池６の本体の軸方向への微動が規制される。【選択図】図１０
2007115477.tif 000002
【特許請求の範囲】
【請求項１】
電池の正電極端子との接点部を有する正電極弾性部材と、
前記正電極弾性部材の両側位置に、前記電池の正電極端子を遊嵌するように配設された一対の正電極側規制部と、
前記電池の負電極端子との接点部を有する負電極弾性部材と、
前記負電極弾性部材の両側位置に、前記負電極弾性部材を遊嵌するように配設された一対の負電極側規制部とを備え、
前記一対の正電極側規制部の内端面と前記一対の負電極側規制部の内端面との間隔が、前記電池の本体部の軸長に相当することを特徴とする電池収納機構。
【請求項２】
前記正電極弾性部材の接点部が前記一対の正電極側規制部の内端面から引っ込んでおり、前記負電極弾性部材の接点部が前記一対の負電極側規制部の内端面から突出している請求項１記載の電池収納機構。
【請求項３】
前記正電極弾性部材および前記負電極弾性部材に電気的に接続されたアダプタージャックを備える請求項１または２記載の電池収納機構。
【請求項４】
前記電池が一次電池および二次電池のいずれであっても挿脱自在に収納できる請求項１ないし３のいずれか１項に記載の電池収納機構。
【発明の詳細な説明】
【技術分野】
【０００１】
本発明は電池収納機構に関し、特に携帯電子機器における電池収納機構に関する。
【背景技術】
【０００２】
携帯電子機器では、乾電池（一次電池）や充電池（二次電池）等の電池を電池収納機構内に収納して電子回路に電源を供給しているが、携帯して使用する際に外部から衝撃が加わると、電池が微動して接点部が瞬断することにより電子回路への通電が切れる状態となる場合がある。特に、電子キャンドル（例えば、非特許文献１参照）等の可搬型の簡易照明機具では、人が手に持って振ったり軽く叩いたりすることが想定されるので、その衝撃により電池収納機構内で電池が微動して接点部が瞬断して通電が切れるという不具合が頻発するおそれがあった。
【０００３】
そこで、従来技術として、ケース本体と電池ボックスとの間に配設したばねによって衝撃を吸収するようにして、携帯電子機器の落下や振動による衝撃時の瞬断を防止するようにした電池収納機構が提案されている（特許文献１参照）。
【０００４】
また、従来の電池収納機構では、電池の正負電極端子を逆にして収納したときに、電池が充電池の場合には逆充電されて充電池が破損されたり、電池が乾電池やの場合には逆放電して電子回路が破壊されたりするという問題点があった。
【０００５】
そこで、従来技術として、充電池と乾電池とを選択可能に収納する電子機器において、充電池を逆にセットしてもショートすることがないようにした電池収納機構が提案されている（特許文献２参照）。
【特許文献１】特開２００３−１５１５１９号公報
【特許文献２】特開平８−１９０９０４号公報
【非特許文献１】ＭＥＴＡＰＨＹＳ、ＨＯＮＯ、［online］、［平成１７年９月３０日検索］、インターネット＜URL：http://www.metaphys.jp/products/20000/products24020.html＞
【発明の開示】
【発明が解決しようとする課題】
【０００６】
上述した特許文献１に記載された電池収納機構は、電池ボックスをケース本体内に配置してばねにより電池ボックスに対する衝撃を吸収するようにしたものであるので、容積が大型化するという問題点があった。このため、携帯電子機器、特に人が手に持って振ったり軽く叩いたりするような電子キャンドル等の可搬型の簡易照明機具では採用することができないという課題があった。
【０００７】
また、特許文献２に記載された電池収納機構は、充電池の電極そのものに工夫を施すものであり、一般的な充電池や乾電池に適用できるものではなく、汎用性に欠けるという課題があった。
【０００８】
本発明の第１の目的は、携帯電子機器を手に持って振ったり軽く叩いたりする際の衝撃で収納されている電池が微動して、電子回路への電源供給が瞬断されることがないようにした電池収納機構を提供することにある。
【０００９】
本発明の第２の目的は、電池を逆挿しした場合でも、電池が逆充電されたり逆放電したりすることがないようにした電池収納機構を提供することにある。
【課題を解決するための手段および発明の効果】
【００１０】
請求項１記載の電池収納機構は、電池の正電極端子との接点部を有する正電極弾性部材と、前記正電極弾性部材の両側位置に、電池の正電極端子を遊嵌するように配設された一対の正電極側規制部と、前記電池の負電極端子との接点部を有する負電極弾性部材と、前記負電極弾性部材の両側位置に、前記負電極弾性部材を遊嵌するように配設された一対の負電極側規制部とを備え、前記一対の正電極側規制部の内端面と前記一対の負電極側規制部の内端面との間隔が、前記電池の本体部の軸長に相当することを特徴とする。請求項１記載の電池収納機構によれば、電池の正電極端子および負電極端子に接触する接点部を弾性手段とするとともに、正電極側規制部と負電極側規制部との間で電池本体の軸方向への移動を規制するようにしたことにより、手に持って振ったり軽く叩いたりする際の衝撃で電子回路への電源供給が瞬断しないという効果がある。
【００１１】
請求項２記載の電池収納機構は、請求項１記載の電池収納機構において、前記正電極弾性部材の接点部が前記一対の正電極側規制部の内端面から引っ込んでおり、前記負電極弾性部材の接点部が前記一対の負電極側規制部の内端面から突出していることを特徴とする。請求項２記載の電池収納機構によれば、正電極弾性部材の接点部が一対の正電極側規制部の内端面から引っ込んでいるので、電池を逆挿しした場合でも、電池の負電極端子が正電極弾性部材の接点部に接触するおそれがなく、電池が逆放電したり逆充電されたりすることがないという効果がある。
【００１２】
請求項３記載の電池収納機構は、請求項１または２記載の電池収納機構において、前記正電極弾性部材および前記負電極弾性部材に電気的に接続されたアダプタージャックを備えることを特徴とする。請求項３記載の電池収納機構によれば、アダプタージャックを備えることにより、充電池を収納して充電することができるという効果がある。
【００１３】
請求項４記載の電池収納機構は、請求項１ないし３のいずれか１項に記載の電池収納機構において、前記電池が一次電池および二次電池のいずれであっても挿脱自在に収納できることを特徴とする。請求項４記載の電池収納機構によれば、電池が一次電池および二次電池のいずれであっても収納できるので、二次電池を充電する時間がない場合でも、一次電池を代用して携帯電子機器を作動させることが可能になる。
【発明を実施するための最良の形態】
【００１４】
電池の微動による電子回路の瞬断を防止するという目的を、電池の正電極端子および負電極端子に接触する接点部を弾性部材とするとともに、正電極側規制部と負電極側規制部との間で電池本体の軸方向への移動を規制することにより達成した。
【実施例１】
【００１５】
以下、本発明の実施例１に係る電池収納機構１００について図面を用いて説明する。なお、ここでは、本実施例１に係る電池収納機構１００が配設される携帯電子機器が、電子キャンドル（可搬型の簡易照明装置）１０であるものとして説明する。
【００１６】
まず、本実施例１に係る電池収納機構１００を配設する電子キャンドル１０について説明する。
【００１７】
図１は、電子キャンドル１０の構成を示す縦断面図である。図２は、電子キャンドル１０の内部構造体を取り出しアッパー半円筒体１ｂ（図９参照）を開放した状態を示す図である。図３は、内部構造体の断面図である。図４は、電子キャンドル１０の斜視図である。図５は、電子キャンドル１０の拡大底面図である。
【００１８】
電子キャンドル１０は、本体筒部１の内部に、半導体発光素子としてのＬＥＤ（Light Emitting Diode）２等を含む内部構造体（図２参照）を収納し、底面開口を底蓋８（図５参照）で塞ぐことによって構成されている。
【００１９】
本体筒部１は、透光性または半透光性を有するプラスチック等で有蓋の円筒体状に形成されており、ＬＥＤ２が点灯すると、ＬＥＤ２の発光を円筒体壁を通して視認することが可能となっている。
【００２０】
内部構造体は、ボトム半円筒体１ａ（図９参照）とアッパー半円筒体１ｂ（図９参照）とを合わせて円筒体状に形成され、上部中程にＬＥＤ２を取り付けている。また、内部構造体は、風や音を検知する音センサー３と、磁石５０（図７参照）の接近を検出する磁気センサー４と、ＬＥＤ２の発光を制御する制御基板５と、ＬＥＤ２，制御基板５等に電源を供給する充電池６を収納する電池収納機構１００と、底面部に設けられたアダプタージャック７とを収納している。
【００２１】
ＬＥＤ２は、電流に基づいて発光量を制御可能な半導体発光素子である。
【００２２】
音センサー３は、コンデンサマイクロフォンでなり、本体筒部１の中に組み込まれたＬＥＤ２の真下に配置されている。音センサー３に消費電力が非常に小さいコンデンサマイクロフォンを使用したことにより、充電池６だけでＬＥＤ２の起動の検知，発光パターンの制御などを行うことが可能になる。なお、従来の風センサーは、一般的に熱線式で、風センサーを加熱するために大きな電力が必要であった。
【００２３】
音センサー３の配設位置の周囲の本体筒部１には、図４に示すように、複数（例えば４つ）の小さな透孔１ｃがあけられている。このため、音センサー３は、本体筒部１の表面に当たった風が小さな透孔１ｃを通して本体筒部１内で乱気流となって発生する音を検知することが可能となる。また、本体筒部１に当たった風の風速が本体筒部１の表面で変化することによる圧力変動を、小さな透孔１ｃを通して本体筒部１の内部に伝達することができる。このため、ＬＥＤ２に向かって吹き付けた風や息に反応するようにして、自然のろうそくの炎に近い感じを出すことが可能になる。
【００２４】
磁気センサー４は、ホール素子等で形成されていて、内部構造体内の音センサー３の直下に配設されている。
【００２５】
制御基板５は、フレキシブルプリント基板で形成されていて、内部構造体内の中程に収納配設されている。制御基板５は、図６に示すような回路を搭載している。
【００２６】
充電池６は、ニッケル水素充電池等で円筒体状に形成されおり、本体部の一方の端面に正電極端子が突設されており、本体部の他方の端面は負電極端子となっている。充電池６は、内部構造体内の制御基板５の下位に配設された電池収納機構１００に収納される。
【００２７】
アダプタージャック７は、図５に拡大して示すように、家庭用電源に電源コードを接続された充電器（図示せず）からのプラグを、電子キャンドル１０の底面側から挿入する端子である。アダプタージャック７は、バッテリーワイヤー９ａを通じて負電極板バネ１１に接続され、アダプタージャックワイヤー９ｂを通じて正電極板バネ１２に接続されている（図９参照）。
【００２８】
底蓋８は、図５に拡大して示すように、本体筒部１の下端開口に螺着できるようになった円盤体で形成されており、前記充電器（図示せず）からのプラグを挿入できるように中央部にアダプタージャック７が取り付けられている。また、ねじ回し，硬貨等の工具によって本体筒部１の下端開口部から取り外せるように、底蓋８の表面には溝８ａが切られている。
【００２９】
図６は、電子キャンドル１０の回路ブロック図である。この回路は、既述した制御基板５に搭載されている。詳しくは、制御基板５は、音センサー３からの音検知信号を入力するバンドパスフィルタ４１と、バンドパスフィルタ４１を透過した音検知信号を全波整流する全波整流器４２と、全波整流器４２で全波整流された音検知信号を入力するワンチップマイコン４３と、磁石５０（図７参照）の接近を検出してワンチップマイコン４３に出力する磁気センサー４と、ワンチップマイコン４３からの駆動制御信号に基づいてＬＥＤ２を電流駆動するＬＥＤドライバ４５と、充電回路４８から逆流阻止ダイオード４７を介して、または介することなしに接続され、バンドパスフィルタ４１，全波整流器４２，ワンチップマイコン４３およびＬＥＤドライバ４５に動作電圧を供給する昇圧回路４９とを含んで構成されている。
【００３０】
バンドパスフィルタ４１は、音センサー３で検出された音検知信号を通すことにより、検知された音や風の圧力変動から不必要な成分を除去することができる。これにより、ワンチップマイコン４３は、周囲の雑音などには反応しないようになり、自然な発光パターンの制御が表現できる。例えば、１０Ｈｚ〜１００Ｈｚ等のバンドパスフィルタ４１が使用される。
【００３１】
全波整流器４２は、バンドパスフィルタ４１から入力される音検知信号の電圧の、正負に関係なく正の絶対電圧を得る回路である。
【００３２】
ワンチップマイコン４３は、図示しないＣＰＵ（Central Processing Unit），ＲＯＭ（Read Only Memory），ＲＡＭ（Random Access Memory），Ｉ／Ｏ（Input/Output）等を含む周知のマイクロコンピュータで形成され、磁気センサー４からの磁石検知信号に基づいてＬＥＤ２の駆動をＬＥＤドライバ４５に開始させ、音センサー３からの所定レベル以上の音検知信号に基づいてＬＥＤ２の駆動を停止する半導体発光素子制御手段としての役目をする。また、音センサー３からの所定レベル以下の音検知信号に応じてＬＥＤ２の発光をＬＥＤドライバ４５にゆらぎ制御させる半導体発光素子制御手段としての役目をする。
【００３３】
ＬＥＤドライバ４５は、ＬＥＤ２を電流駆動して発光させる。
【００３４】
充電回路４８は、アダプタージャック７を通じて充電器（図示せず）から供給される充電電流を逆流阻止ダイオード４７を介して充電池６に供給することにより、充電池６を充電する。なお、充電池６の充電中には、電力消費を低下させるために、充電回路４８は、シャットダウン信号を昇圧回路４９に出力して昇圧動作を停止させる。また、通常は充電回路４８の電圧の方が充電池６の電圧より高いが、万が一に充電池６から充電回路４８に電流が逆流するのを防止するために逆流阻止ダイオード４７が設けられている。
【００３５】
昇圧回路４９は、充電池６の電圧を昇圧して、バンドパスフィルタ４１，全波整流器４２，ワンチップマイコン４３およびＬＥＤドライバ４５に動作電圧を供給する。
【００３６】
図７（ａ）および（ｂ）は、電子キャンドル１０の使用状態を説明する斜視図である。図７（ａ）および（ｂ）中に示すように、本体筒部１の下端部に附属品である設置型ホルダー６０を取り付けることにより、電子キャンドル１０を机等の上に設置することができる。また、図示しない壁掛け型のホルダーを使用することにより、電子キャンドル１０を壁に掛けて使用することもできる。さらに、電子キャンドル１０を手に持って振ったり軽く叩いたりして使用されることもある。
【００３７】
図８は、電子キャンドル１０から充電池６を取り出す手順を説明する図である。まず、ねじ回し，硬貨等の工具を溝８ａに当てて底蓋８を回転させることにより、底蓋８を本体筒部１の下端開口部から取り外す。次に、本体筒部１から内部構造体を引き出し、露呈した電池収納機構１００の開口から充電池６を取り出す。
【００３８】
図９は、本発明の実施例１に係る電池収納機構１００を示す斜視図である。本実施例１に係る電池収納機構１００は、ボトム半円筒体１ａと、アッパー半円筒体１ｂと、アダプタージャック７と、バッテリーワイヤー９ａと、アダプタージャックワイヤー９ｂと、負電極板バネ１１と、正電極板バネ１２とから、その主要部が構成されている。なお、アッパー半円筒体１ｂには、充電池６を挿脱自在に収納するための開口が穿設されている。
【００３９】
図１０（ａ），（ｂ），（ｃ）および（ｄ）は、本発明の実施例１に係る電池収納機構１００の平面図、本実施例１に係る電池収納機構１００への充電池６の装着状態を示す断面図、本実施例１に係る電池収納機構１００への充電池６の取り外し状態を示す断面図、および本実施例１に係る電池収納機構１００への充電池６を逆挿した状態を示す断面図である。
【００４０】
負電極板バネ１１は、リン青銅，ベリリュウム銅等の弾性を有する金属薄板を折曲して形成されており、充電池６の負電極端子との接点部を有する。
【００４１】
正電極板バネ１２は、リン青銅，ベリリュウム銅等の弾性を有する金属薄板を折曲して形成されており、充電池６の正電極端子との接点部を有する。
【００４２】
一対の負極側リブ１３ａ，１３ａは、アンダー半円筒体１ａの内周面側に、負電極板バネ１１の両側位置で負電極板バネ１１を遊嵌するように、負電極板バネ１１の固定部と一体的に突設されている。負電極板バネ１１の接点部は、一対の負極側リブ１３ａ，１３ａの内端面から突出している（図１０（ｃ）参照）。
【００４３】
一対の陽極側リブ１３ｂ，１３ｂは、アンダー半円筒体１ａの内周面側に、正電極板バネ１２の両側位置で充電池６の正電極端子を遊嵌するように、正電極板バネ１２の固定部と一体的に突設されている。正電極板バネ１２の接点部は、一対の陽極側リブ１３ｂ，１３ｂの内端面から隙間だけ引っ込んでいる（図１０（ｃ）参照）。
【００４４】
なお、アダプタージャック７は、一対の陽極側リブ１３ｂ，１３ｂの内端面と一対の負極側リブ１３ａ，１３ａの内端面との間に収納される充電池６の、負電極板バネ１１の外側位置に充電池６と同心的に配置されている。
【００４５】
また、一対の陽極側リブ１３ｂ，１３ｂの内端面と一対の負極側リブ１３ａ，１３ａの内端面との間隔が、充電池６の本体部の軸長（正電極端子の突出長を除く長さ）に相当するように設定されている。
【００４６】
次に、このように構成された実施例１に係る電池収納機構１００の動作について、電子キャンドル１０の動作とともに説明する。
【００４７】
ユーザが、図７（ａ）に示すように、自然なろうそくの点火を模倣して、例えばマッチ形状の磁石５０を電子キャンドル１０の透孔１ｃの近傍に近づけると、磁気センサー４が磁石５０の接近を検知し、磁石検知信号をワンチップマイコン４３に入力する。
【００４８】
ワンチップマイコン４３は、磁石検知信号を入力すると、ＬＥＤドライバ４５を駆動してＬＥＤ２に通電し、図７（ｂ）に示すように、ＬＥＤ２を点灯させる。ＬＥＤ２が点灯すると、その光があたかもろうそくの炎のように透光性または半透光性を有する本体筒部１上に映し出される。
【００４９】
ＬＥＤ２の点灯後、音センサー３からの音検知信号がバンドパスフィルタ４１を通して全波整流器４２で全波整流されてワンチップマイコン４３に入力されるので、ワンチップマイコン４３は、入力された音検知信号と基準値との差または音検知信号の変化の大きさに応じてＬＥＤドライバ４５を制御し、ＬＥＤ２の発光パターンおよび発光強度を変化させる。これにより、ＬＥＤ２は、擬似的な１／ｆゆらぎパターンを用いた発光パターンおよび発光強度で発光を制御される。例えば、透孔１ｃから音センサー３がわずかな空気の流れを検知すると、ＬＥＤ２の発光輝度が変化し、あたかも炎がゆらいでいるような状態を演出することができ、視覚効果が高まる。
【００５０】
ユーザが、自然なろうそくの消灯を模倣して、例えば透孔１ｃに強く息を吹き付けると、音センサー３からの所定レベル以上の音検知信号がバンドパスフィルタ４１を通して全波整流器４２で全波整流されてワンチップマイコン４３に入力されるので、ワンチップマイコン４３は、入力された音検知信号と基準値との差または音検知信号の変化の大きさに応じてＬＥＤドライバ４５を制御し、ＬＥＤ２を消灯させることができる。
【００５１】
このように、電子キャンドル１０を点灯から消灯まであたかも普通のろうそくのように使用することができ、内部のＬＥＤ２が点灯して光が浮かび上がったときと、その光がゆらいだときと、その光が消えたときとでは、雰囲気が大きく変化する。このため、心を癒されるような自然なろうそくの炎のゆらぎと同じ光のゆらぎを得ることができ、他に追随を許さない電子キャンドル１０を得ることができる。また、火による燃焼を伴わないので、安全かつ経済的に使用することができる電子キャンドル１０を得ることができる。
【００５２】
図１０（ａ）および（ｂ）に示すように、充電池６は、負電極端子を負電極板バネ１１側とし、正電極端子を正電極板バネ１２側として電池収納機構１００内に収納されている。このとき、充電池６の負電極端子は、一対の負極側リブ１３ａ，１３ａ間から突出する負電極板バネ１１の接点部に接触し、充電池６の正電極端子は、一対の正極側リブ１３ｂ，１３ｂ間に若干の隙間をもって後退している正電極板バネ１２の接点部に接触している。これにより、充電池６から放電が行われ、制御基板５に電源が供給される。また、この状態から、家庭用電源に電源コードを接続された充電器（図示せず）からのプラグをアダプタージャック７に挿入すれば、充電回路４８が、アダプタージャック７を通じて供給される充電電流を逆流阻止ダイオード４７を介して充電池６に供給することにより、充電池６を充電する。
【００５３】
電池収納機構１００は、充電池６の正電極端子との接点部を有する正電極板バネ１２と、正電極板バネ１２の両側位置に充電池６の正電極端子を遊嵌するように配設された一対の正極側リブ１３ｂ，１３ｂと、充電池６の負電極端子との接点部を有する負電極板バネ１１と、負電極板バネ１１の両側位置に負電極板バネ１１を遊嵌するように配設された一対の負極側リブ１３ａ，１３ａとを備え、一対の正極側リブ１３ｂ，１３ｂの内端面と一対の正極側リブ１３ｂ，１３ｂの内端面との間隔が、充電池６の本体部の軸長に相当するように設定されている。充電池６の正電極端子および負電極端子に接触する接点部を、負電極板バネ１１（負電極弾性部材）および正電極板バネ１２（正電極弾性部材）に設けるとともに、一対の負極側リブ１３ａ，１３ａ（正電極側規制部）と一対の正極側リブ１３ｂ，１３ｂ（負電極側規制部）との間で充電池６の本体の軸方向への微動を規制するようにしたことにより、手に持って振ったり軽く叩いたりしても、その衝撃で電子回路への電源供給が瞬断することがない。
【００５４】
図１０（ｃ）に示すように、充電池６を電池収納機構１００から取り外すと、負電極板バネ１１の接点部が一対の負極側リブ１３ａ，１３ａの内端面から突出する一方、正電極板バネ１２の接点部が一対の正極側リブ１３ｂ，１３ｂの内端面から隙間を介して引っ込んだ状態となる。
【００５５】
図１０（ｄ）に示すように、充電池６を電池収納機構１００に正負電極端子を逆にして収納すると、充電池６の正電極端子は、一対の負極側リブ１３ａ，１３ａ間から突出する負電極板バネ１１の接点部に接触するが、充電池６の負電極端子は、一対の正極側リブ１３ｂ，１３ｂ間に若干の隙間をもって後退している正電極板バネ１２の接点部に接触することはできず、充電池６は充放電を行うことができない。よって、充電池６を逆挿しした場合でも、逆放電したり、逆充電されたりするおそれがない。
【００５６】
なお、上記実施例１では、電池収納機構１００に収納される電池を充電池６としたが、充電池６に充電する時間がない場合などには乾電池を代替として収納することにより、携帯電子機器を即時に使用することができる。乾電池を収納して使用する際にも、乾電池を電池収納機構１００を逆挿しした場合には、乾電池の負電極端子が一対の正極側リブ１３ｂ，１３ｂ間に若干の隙間をもって後退している正電極板バネ１２の接点部に接触することはできず、乾電池が逆方向に放電して制御基板５上の電子回路を破壊する等の事故を未然に防止することができる。
【００５７】
また、上記実施例１では、電池収納機構１００を配設する携帯電子機器を電子キャンドル１０として説明したが、これに限られるわけではなく、携帯電話機，携帯音楽プレーヤ，ＰＤＡ（Personal Data Assistant），パームトップコンピュータ，ラップトップコンピュータ等の携帯される電子機器に電池収納機構１００を広く配設することができる。
【００５８】
以上、本発明の実施例１を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００５９】
【図１】本発明の実施例１に係る電池収納機構が配設される電子キャンドルの縦断面図。
【図２】図１中の内部構造体を取り出しアッパー半円筒体を開放した状態を示す図。
【図３】図１中の内部構造体の断面図。
【図４】図１の電子キャンドルの斜視図。
【図５】図１の電子キャンドルの拡大底面面。
【図６】図１の電子キャンドルの回路ブロック図。
【図７】図１の電子キャンドルは使用状態説明図であり、（ａ）は電子キャンドルを点灯する図、（ｂ）は点灯した電子キャンドルを図示する図。
【図８】図１の電子キャンドルから電池を取り出す手順を説明する図。
【図９】本発明の実施例１に係る電池収納機構を示す斜視図。
【図１０】（ａ）は本発明の実施例１に係る電池収納機構の平面図、（ｂ）は電池収納機構への充電池の装着状態を示す断面図、（ｃ）は電池収納機構への充電池の取り外し状態を示す断面図、および（ｄ）は電池収納機構への充電池を逆挿した状態を示す断面図。
【符号の説明】
【００６０】
１  本体筒部
１ａ  ボトム半円筒体
１ｂ  アッパー半円筒体
５  制御基板
６  充電池（電池）
７  アダプタージャック
１０  電子キャンドル
１１  負電極板バネ（負電極弾性部材）
１２  正電極板バネ（正電極弾性部材）
１３ａ，１３ａ  負極側リブ（正電極側規制部）
１３ｂ，１３ｂ  正極側リブ（負電極側規制部）
【図１】
2007115477.tif 000003
【図２】
2007115477.tif 000004
【図３】
2007115477.tif 000005
【図４】
2007115477.tif 000006
【図５】
2007115477.tif 000007
【図６】
2007115477.tif 000008
【図７】
2007115477.tif 000009
【図８】
2007115477.tif 000010
【図９】
2007115477.tif 000011
【図１０】
2007115477.tif 000012